(57)【要約】【課題】本発明は、ドアハンドルのプッシュ操作またはプル操作する際に、指等が化粧プレートで挟まれるおそれがないようにすることを課題とする。【解決手段】  本発明のプッシュプル錠用のドアハンドルは、ドアＤの両面に配置される固定ブラケット３０と、各固定ブラケットに、回転中心軸１９を介して揺動自在に支持された揺動ブラケット２１と、該揺動ブラケットに固定されるハンドルアーム１２に支持されるハンドル本体１１と、前記固定ブラケットおよび揺動ブラケットを被覆するカバーとを備えている。前記カバーは、固定ブラケット側に固定されるベースカバー２５と、前記揺動ブラケット側に固定され且つ前記揺動ブラケットとともに揺動するハンドル座カバー２２とからなり、前記ベースカバーには開口２５ｅが形成され、前記ハンドル座カバーの周壁は、前記開口周縁に接近するように前記ベースカバー内に望んでいることにある。【選択図】  図２
2008163592.tif 000002
【特許請求の範囲】
【請求項１】
ドアの両面に配置される固定ブラケットと、各固定ブラケットに、回転中心軸を介して揺動自在に支持された揺動ブラケットと、該揺動ブラケットに固定されるハンドルアームに支持されるハンドル本体と、前記固定ブラケットおよび揺動ブラケットを被覆するカバーとを備え、前記ハンドル本体をプッシュ操作またはプル操作することにより、前記ドアに設けられたプッシュプル錠を動作させて前記ドアの開放を許容するように構成されたプッシュプル錠用のドアハンドル構造において、
前記カバーは、固定ブラケット側に固定されるベースカバーと、前記揺動ブラケット側に固定され且つ前記揺動ブラケットとともに揺動するハンドル座カバーとからなり、前記ベースカバーには開口が形成され、前記ハンドル座カバーの周壁は、前記開口周縁に接近するように前記ベースカバー内に望んでいることを特徴とするプッシュプル錠用のドアハンドル構造。
【請求項２】
前記ハンドル座カバーの周壁の一部は、揺動する際に前記ベースカバーの開口周縁に接近する状態を維持するように、外側に凸となる円弧状に設けられている請求項１に記載のプッシュプル錠用のドアハンドル構造。
【請求項３】
前記ベースカバーの周壁の先端部は、前記ドアの表面に接触または接近している請求項１または２に記載のプッシュプル錠用のドアハンドル構造。
【発明の詳細な説明】
【技術分野】
【０００１】
本発明は、例えば、建物用ドアに取り付けられ、ハンドルをプッシュプル（押す又は引く）することにより開錠させるプッシュプル錠用のドアハンドル構造に関する。
【背景技術】
【０００２】
例えば、建物用ドアに取り付けられるプッシュプル錠用のドアハンドルとして、図１４に示すように、ドアＤの両面に配置される固定ブラケット１００に、固定ブラケット１００を覆う揺動ブラケット１０２が回転中心軸１０１を介して揺動自在に支持され、ハンドル本体１０４を支持するハンドルアーム１０５が、揺動ブラケット１０２に固定されている。そして、前記ハンドル本体１０４をプッシュ操作またはプル操作することにより、ドアＤに設けられたプッシュプル錠１０６を動作させて前記ドアＤの開放を許容するように構成されたものが公知である（例えば、特許文献１参照）
また、前記ドアハンドルは、固定ブラケット１００および揺動ブラケット１０２を被覆するように、化粧プレート（カバー）１０７が設けられている。カバー１０７は、ハンドルアーム１０５を揺動ブラケット１０２に固定するボルト（図示省略）により、揺動ブラケット１０２に固定されている。
【０００３】
従って、ハンドル本体１０４をプッシュ操作またはプル操作する際には、揺動ブラケット１０２とともにカバー１０７全体も揺動することとなる。このようにカバー１０７の揺動を許容するために、カバー１０７周壁の先端部１０７ａと、ドアＤの両面との間には、揺動間隙１１０が設けられている。
【特許文献１】特開２００３−１７６６４６号公報
【発明の開示】
【発明が解決しようとする課題】
【０００４】
前記従来のプッシュプル錠用のドアハンドルは、何れかのハンドル本体１０４をプッシュ操作またはプル操作する際に、カバー１０７も揺動する構造である。その結果、そのカバー１０７の先端部１０７ａとドアＤの両面との間には、揺動間隙１１０を設ける必要がある。
【０００５】
従って、ハンドル本体１０４をプッシュ操作またはプル操作すると、その揺動間隙１１０が小さくなる（カバー１０７の先端部１０７ａがドアＤの表面に接近する）ため、使用者が不用意に指等をカバー１０７とドアＤとの間で挟んでしまうおそれがあった。特に、小児の場合は、指が細いため大人の場合に比し前記問題が顕著となり、安全性を確保する必要がある。
【０００６】
本発明は、前記課題を解決するためになされたもので、ハンドル本体のプッシュ操作またはプル操作する際に、指等がカバーで挟まれるおそれがないようにすることを課題とする。
【課題を解決するための手段】
【０００７】
本発明は、ドアの両面に配置される固定ブラケットと、各固定ブラケットに、回転中心軸を介して揺動自在に支持された揺動ブラケットと、該揺動ブラケットに固定されるハンドルアームに支持されるハンドル本体と、前記固定ブラケットおよび揺動ブラケットを被覆するカバーとを備え、前記ハンドル本体をプッシュ操作またはプル操作することにより、前記ドアに設けられたプッシュプル錠を動作させて前記ドアの開放を許容するように構成されたプッシュプル錠用のドアハンドル構造において、前記カバーは、固定ブラケット側に固定されるベースカバーと、前記揺動ブラケット側に固定され且つ前記揺動ブラケットとともに揺動するハンドル座カバーとからなり、前記ベースカバーには開口が形成され、前記ハンドル座カバーの周壁は、前記開口周縁に接近するように前記ベースカバー内に望んでいることにある。
【０００８】
本発明の前記ハンドル座カバーの周壁の一部は、揺動する際に前記ベースカバーの開口周縁に接近する状態を維持するように、外側に凸となる円弧状に設けられている。
【０００９】
本発明の前記ベースカバーの周壁の先端部は、前記ドアの表面に接触または接近していることにある。
【発明の効果】
【００１０】
本発明は、ハンドル本体のプッシュ操作またはプル操作する際に、指等がカバーで挟まれるおそれがない。
【発明を実施するための最良の形態】
【００１１】
以下、本発明の一実施の形態について図面を参照しながら説明する。
【００１２】
図１〜図１３は、本発明の一実施の形態を示す。図２に示すように、ドアＤにはプッシュプル錠１が埋め込まれている。なお、室内側とは、図２においてドアＤに対して左側をいい、室外側とは、ドアＤに対して右側をいう。
【００１３】
プッシュプル錠１は、所謂反転式ラッチ錠であり、摺動する作動部（図示省略）を有した錠本体５と、この作動部の僅かな移動で反転後退可能状態となるラッチ５ａとを備えた公知のものを採用している。ドアＤの室内外側面には、ハンドル１０、５０がそれぞれ設けられている。
【００１４】
先ず、プッシュ側（室内側）ハンドル（インナーハンドル）１０について説明する。インナーハンドル１０は、丸棒状のハンドル本体１１と、このハンドル本体１１の上下にハンドルアーム１２，１３を介して取り付けられた上ブラッケト１５および下ブラッケト１７とからなる。
【００１５】
上ブラッケト１５について図２〜図９に示し、下ブラッケト１７について図１０〜図１３に示す。
【００１６】
上ブラッケト１５は、図４および図５に示すように、ベースプレート１８と、軸受部材２０、軸受部材２０に揺動自在に設けられた揺動ブラッケトとしてのハンドル座２１と、ハンドル座カバー２２、ベースカバー２５とを備えている。
【００１７】
前記ベースプレート１８は、ドアＤの室内側（図４に示す左側）表面に取り付けられる略矩形状の金属板材から形成され、ベースプレート１８の周囲には、金属板材を外側に屈曲してなる周壁１８ａが形成されている。ベースプレート１８には、金属板からなる前記軸受部材２０が溶接等により固定されている。なお、ベースプレート１８と軸受部材２０とにより、固定ブラケット３０が構成されている。また、軸受部材２０は、上下水平方向の寸法がベースプレート１８よりも小さく設定されている。
【００１８】
軸受部材２０の上下部には、所定の間隔を有するように対向する上下一対の軸受片２０ａ、２０ｂがそれぞれ設けられている。この軸受片２０ａ、２０ｂには回転中心軸１９が挿通されている。
【００１９】
前記ハンドル座２１は、金属板材から形成されており、ハンドル座２１の上下端には、軸受部材２０の軸受片２０ｂの内面に沿うように脚壁２１ａがそれぞれ形成されている。各脚壁２１ａには、前記回転中心軸１９が挿通され、ハンドル座２１は、回転中心軸１９を中心にして軸受部材２０に対して揺動自在になっている。
【００２０】
両方の脚壁２１ａ間には、図５および図６に示すように、可動心棒２８が回転中心軸１９と所定の間隔をおいて挿通されている。この可動心棒２８は、軸受部材２０の軸受片２０ａ、２０ｂに形成された長孔２０ｃ内を移動することにより、ハンドル座２１が必要以上に揺動しないように揺動角度を制限する役割をしている。回転中心軸１９には、プッシュスプリング（ハンドル本体を押して揺動ブラケットが揺動した後、揺動ブラケットを元の位置に戻すための復帰スプリング）２４が外嵌されている。
【００２１】
錠本体５を動作させるための押金２９が、錠本体５に向けて設けられている。押金２９の基部には、前記回転中心軸１９および可動心棒２８が挿通されているとともに、押金２９の先端は、錠本体５の操作部を押して摺動させるようになっている。
【００２２】
前記ベースプレート１８は、前記ベースカバー２５で被覆されている。このベースカバー２５は、ドアの側面視矩形状の化粧プレートであり、ベースカバー本体壁２５ａと、このベースカバー本体壁２５ａの縁全周にわたって一体的に設けられた周壁（上周壁２５ｂ、下周壁２５ｃ、一対の縦周壁２５ｄ）からなる。
【００２３】
そして、上下縦周壁２５ｂ、２５ｃ、２５ｄが、ベースプレート１８の周壁１８ａに外嵌され、上下縦周壁２５ｂ、２５ｃ、２５ｄに適宜突設された係止部を弾性力によりベースプレート１８に係合させたり、上下縦周壁をネジ等で固定する。また、上下縦周壁２５ｂ、２５ｃ、２５ｄの先端面が、ドアＤの表面に接触または接近しており、各周壁２５ｂ、２５ｃ、２５ｄの先端面とドアＤの表面との間には、間隙がないかほとんどない状態になっている。
【００２４】
ベースカバー本体壁２５ａには、略矩形状の開口２５ｅが形成されている。この開口２５ｅの大きさは、図６に示すように、軸受部材２０の外形形状よりも若干大きく設定されているが、特に限定されるものではない。
【００２５】
前記ハンドル座カバー２２は、化粧プレートであり、前記ベースカバー２５の開口２５ｅを閉塞するようにドアの側面視矩形状に形成されている。具体的には、ハンドル座カバー２２は、ハンドル座カバー本体壁２２ａと、このハンドル座カバー本体壁２２ａの縁全周にわたって一体的に設けられた周壁とからなる。
【００２６】
ハンドル座カバー本体壁２２ａは、図４に示すようにハンドルアーム１２を固定するボルト２３により、ハンドル座２１に固定されており、ハンドル座カバー２２は、ハンドル座２１とともに一体的に揺動するようになっている。
【００２７】
前記周壁は、上周壁２２ｂと下周壁２２ｃと一対の縦壁２２ｄとからなる。上下縦周壁２２ｂ、２２ｃ、２２ｄは、前記開口２５ｅの開口周縁に接触しない程度（接近した状態）に開口周縁に沿って設けられているとともに、ハンドル座２１および軸受部材２０を覆うようにベースカバー２５内に望んでいる。一対の縦壁２２ｄ、２２ｄは、揺動する際にベースカバー本体壁２５ａの開口２５ｅの開口周縁に接近する状態を維持するように、外側に凸となる円弧条に形成されている。具体的には、円弧の半径中心が回転中心軸１９となるのが好ましい。
【００２８】
次に、下ブラッケト１７について図１０〜図１３を参照しながら説明する。下ブラッケト１７は、ドアＤの室内側に取り付けられる固定ブラケットとしてのベースプレート３１と、ベースプレートに３１に回転中心軸３２を中心にして揺動自在に設けられたハンドル座３３と、ハンドル座カバー３４と、ベースカバー３５とを備えている。かかる部材の機能は、前記上ブラッケト１５と同様であるため、共通する機能の具体的な説明は省略する。
【００２９】
なお、下ブラッケト１７には、前記上ブラッケト１５が備えていた軸受部材２０、押金２９およびプッシュスプリング２４は設けられていない。これらの部材が設けられていないのは、下ブラッケト１７部分にプッシュプル錠１を備えていないためである。
【００３０】
ベースプレート３１の上下には、一対の軸受片３１ａ、３１ｂが設けられ、これら軸受片３１ａ、３１ｂには、回転中心軸３２が挿通されている。ハンドル座３３の上下脚壁３３ａ、３３ｂは、前記一対の軸受片３１ａ、３１ｂ間に望み、上下脚壁３３ａ、３３ｂに前記回転中心軸３２が挿通されている。
【００３１】
また、ハンドル座３３の上下脚壁３３ａ、３３ｂに挿通された可動心棒３６は、軸受片３１ａ、３１ｂに設けられた長孔３３ｃに沿って移動することにより、ハンドル座３３の揺動角度を制限している。
【００３２】
ベースプレート３１に固定されるベースカバー３５は、ベースカバー本体壁３５ａとこのベースカバー本体壁３５ａの縁全周にわたって一体的に設けられた周壁（上周壁３５ｂ、下周壁３５ｃ、一対の縦周壁３５ｄ）からなる。ベースカバー本体壁３５ａに形成された開口３５ｅの大きさは、図１１（ｂ）に示すように、ハンドル座３３の外形形状よりも若干大きく設定されており、本実施の形態では、ベースカバー本体壁３５ａの略全面に設けられているが、特に限定されるものではない。
【００３３】
ハンドル座カバー３４は、図１２および図１３に示すように、ハンドルアーム１３を固定するボルト３８によりハンドル座３３に固定されるハンドル座カバー本体壁３４ａと、このハンドル座カバー本体壁３４ａ一体的に設けられた周壁（上周壁３４ｂと下周壁３４ｃと一対の縦壁３４ｄ）とからなる。前記開口３５ｅの周縁に沿うようにベースカバー３５内に望む周壁の一対の縦壁３４ｄ、３４ｄが、外側に凸となる湾曲条に形成されているのは、前記ハンドル座カバー２２と同様である。
【００３４】
次に、前記プッシュ側と反対に取り付けられたプル側（室外側）ハンドル（アウターハンドル）５０について説明する。かかるハンドル５０は、プッシュ側のハンドル１０の部材と略同一の部材から構成されているため、同様の機能を奏する部材には、同一符号を付してそれぞれの説明は省略する。
【００３５】
アウターハンドル５０は、プル側に所定角度揺動するようになっている。従って、上ブラッケト１５は、図４および図５に示すように、プッシュスプリング２４に換えてプルスプリング（ハンドル本体を引いて揺動ブラケットが揺動した後、揺動ブラケットを元の位置に戻すための復帰スプリング）４０が採用されている。
【００３６】
アウターハンドル５０側のハンドル座カバー２２は、ハンドル座２１の内側からハンドルアーム１２を固定するボルト４１により、ハンドル座２１に固定されている。なお、インナーハンドル１０およびアウターハンドル５０のベースプレート１８同士は、連結体４３で連結されている。
【００３７】
また、アウターハンドル５０側の下ブラッケト１７は、前記インナーハンドル１０の下ブラッケト１７と略同一部材から構成されているため、同様の機能を奏する部材には、同一符号を付してそれぞれの説明は省略する。なお、ハンドル座カバー３４は、図１２に示すように、ハンドルアーム１３を固定するボルト４７によりハンドル座３３に固定されている。また、インナーハンドル１０およびアウターハンドル５０のベースプレート３１同士は、連結体４５で連結されている。
【００３８】
本実施の形態にかかるハンドル１０、５０は、以上の構成からなり、次にその使用例について説明する。インナーハンドル１０側のハンドル本体１１を押すと、回転中心軸１９を中心にしてハンドル座２１が揺動する（図７および図８参照）。このハンドル座２１の揺動と連動して押金２９が回動することにより、錠本体５の操作部が移動し、ラッチ５ａが反転後退可能となる。
【００３９】
インナーハンドル１０の操作時には、ハンドル座２１とともにハンドル座カバー２２も揺動する。しかしながら、ハンドル座カバー２２の周壁は、ベースカバー２５内に入るが、ハンドル座カバー２２の周壁は、ベースカバー２５の開口２５ｅの開口周縁に接近した状態で揺動し、その接近状態を維持する。しかも、ベースカバー２５は、ドアＤに固定されたベースプレート１８に固定されているとともに、ベースカバー２５の各周壁の先端面は、ドアＤの表面に接触している。この結果、ベースカバー２５等の固定側部材と、ハンドル座カバー２２等の揺動側部材との間に、揺動間隙が生じることがなく、不用意に揺動間隙により指等を挟むことはなく安全である。
【００４０】
また、下ブラッケト１７についても、インナーハンドル１０の操作時には、ハンドル座３３とともにハンドル座カバー３４も揺動する（図１０（ｂ）参照）。ハンドル座カバー３４の周壁もベースカバー３５の開口３５ｅの周縁と接近した状態を維持し、しかも、ベースカバー３５の各周壁の先端部は、ドアＤの表面に接触している。
【００４１】
この結果、ベースカバー３５等の固定側部材と、ハンドル座カバー３４等の揺動側部材との間に、揺動間隙が生じることがなく、不用意に揺動間隙により指等を挟むことはなく安全である。
【００４２】
また、アウターハンドル５０側のハンドル本体１１を引くと、前記インナーハンドル１０と同様に、上ブラッケト１５の回転中心軸１９を中心にしてハンドル座２１が揺動し、押金２９が回動することにより、錠本体５の操作部が移動し、ラッチ５ａが反転後退可能となる（図７および図９参照）。
【００４３】
アウターハンドル５０の操作時には、ハンドル座２１とともにハンドル座カバー２２も前記インナーハンドル１０のハンドル座カバー２２とは反対方向に揺動するが、前記同様にベースカバー２５等の固定側部材と、ハンドル座カバー２２等の揺動側部材との間に、揺動間隙が生じることはない。
【００４４】
下ブラッケト１７についても、図１０（ｂ）に示すようにハンドル座カバー３４等の揺動側部材が揺動するが、ベースカバー３５等の固定側部材と、ハンドル座カバー３４等の揺動側部材との間に、揺動間隙が生じることがなく、不用意に揺動間隙により指等を挟むことはなく安全である。
【００４５】
本発明は、前記の実施の形態に限定されるものではない。例えば、下ブラッケトとしては、上ブラッケト１５と同一形状のものを採用することも可能である。
【図面の簡単な説明】
【００４６】
【図１】本発明の一実施形態を示すドアハンドルをドアに取り付けた状態を示す斜視図である。
【図２】同上側のドアハンドル部分を示す平面図である。
【図３】同正面図である。
【図４】同断面正面図である。
【図５】図４のＡ−Ａ線断面平面である。
【図６】本発明の一実施形態のベースカバーおよびハンドル座カバーの側面図である。
【図７】本発明の一実施形態を示すドアハンドルを操作した状態の平面図である。
【図８】同室内側のドアハンドルを操作した状態の一部断面を含む平面図である。
【図９】同室外側のドアハンドルを操作した状態の一部断面を含む平面図である。
【図１０】本発明の一実施形態を示す下側のドアハンドル部分を示し、（ａ）は通常時を示す平面図、（ｂ）はドアハンドルを操作した状態の平面図である。
【図１１】同下側のドアハンドル部分を示し、（ａ）は正面図、（ｂ）はベースカバーおよびハンドル座カバーの側面図である。
【図１２】同下側のドアハンドル部分の断面図である。
【図１３】（ａ）は図１２のＢ−Ｂ線断面平面図、（ｂ）は図１２のＣ−Ｃ線断面平面図である。
【図１４】従来例を示す断面平面図である。
【符号の説明】
【００４７】
１      プッシュプル錠
１１    ハンドル本体
１２    ハンドルアーム
１３    ハンドルアーム
１５    上ブラッケト
１７    下ブラッケト
１８    ベースプレート
１９    回転中心軸
２０    軸受部材
２１    ハンドル座（揺動ブラケット）
２２    ハンドル座カバー
２５    ベースカバー
２５ｅ  開口
３０    固定ブラケット
３４    ハンドル座カバー
３５    ベースカバー
３５ｅ  開口
【図１】
2008163592.tif 000003
【図２】
2008163592.tif 000004
【図３】
2008163592.tif 000005
【図４】
2008163592.tif 000006
【図５】
2008163592.tif 000007
【図６】
2008163592.tif 000008
【図７】
2008163592.tif 000009
【図８】
2008163592.tif 000010
【図９】
2008163592.tif 000011
【図１０】
2008163592.tif 000012
【図１１】
2008163592.tif 000013
【図１２】
2008163592.tif 000014
【図１３】
2008163592.tif 000015
【図１４】
2008163592.tif 000016